【事件の表示】
　特願２０１４−２５５９０７「遊技機」拒絶査定不服審判事件〔平成２７年　３月２６日出願公開、特開２０１５−　５７１３０〕について、次のとおり審決する。
【結　論】
　本件審判の請求は、成り立たない。
【理　由】
第１　手続の経緯
　本願は、平成２４年１２月２５日に出願した特願２０１２−２８１５９５号の一部を平成２６年１２月１８日に新たな特許出願（特願２０１４−２５５９０７号）としたものであって、平成２８年１月１２日付けで拒絶の理由が通知され、平成２８年３月９日に意見書及び手続補正書が提出されたところ、平成２８年９月１３日付けで拒絶査定がなされ、それに対して、平成２８年１２月１９日に拒絶査定不服審判の請求がなされると同時に特許請求の範囲及び明細書に係る手続補正がなされ、これに対し、当審において、平成２９年６月１９日付けで拒絶の理由が通知され、平成２９年８月８日に意見書及び手続補正書が提出され、平成２９年９月７日付けで最後の拒絶の理由が通知され、平成２９年１１月２日に意見書及び手続補正書が提出されたものである。
第２　平成２９年１１月２日付けの手続補正についての補正却下の決定
［補正却下の決定の結論］
　平成２９年１１月２日付けの手続補正（以下「本件補正」という。）を却下する。
［理由］
１　本件補正の概要
　本件補正は、特許請求の範囲の請求項１を補正する内容を含んでおり、本件補正により、特許請求の範囲の請求項１は、平成２９年８月８日付けの手続補正書における、
「【請求項１】
　変動表示ゲームを実行可能な変動表示部を有する表示装置と、前記変動表示ゲームの制御を行う制御装置と、を備える遊技機において、
　前記変動表示部は、複数の発光部材により構成されてなり、
　前記表示装置は、
　前記複数の発光部材に対応する複数のピンが配列された表示装置側コネクタが実装され、該表示装置側コネクタに前記制御装置と電気的に接続するための配線のコネクタが接続され、
　前記制御装置は、
　前記複数の発光部材に対応する複数のピンが配列された制御装置側コネクタが実装され、該制御装置側コネクタに前記表示装置と電気的に接続するための配線のコネクタが接続され、
　さらに、前記制御装置側コネクタを含んだ複数のコネクタが列を形成するように実装され、この列には当該制御装置に電源を供給するための電源用コネクタを含めない構成とし、
　前記変動表示部の表示態様を複数の表示態様の間で循環的に順次変化させることで前記変動表示ゲームが実行中であることを表示させるとともに、一以上の発光部材を点灯させることで外れ結果又は当り結果を表示させ、
　前記複数の表示態様には、前記外れ結果を表す表示態様及び前記当り結果を表す表示態様を含めないようにし、
　前記制御装置側コネクタをピン配列が２列のコネクタにて構成するとともに、前記表示装置側コネクタをピン配列が１列のコネクタにて構成することを特徴とする遊技機。」
から、平成２９年１１月２日付けの手続補正書における、
「【請求項１】
Ａ　変動表示ゲームを実行可能な変動表示部を有する表示装置と、前記変動表示ゲームの制御を行う制御装置と、を備える遊技機において、
Ｂ　前記変動表示部は、複数の発光部材により構成されてなり、
Ｃ　前記表示装置は、
　　前記複数の発光部材に対応する複数のピンが配列された表示装置側コネクタが
、当該表示装置を当該遊技機に取り付けた時に前面側となる面に
Ｄ　前記制御装置は、
　　前記複数の発光部材に対応する複数のピンが配列された制御装置側コネクタが実装され、該制御装置側コネクタに前記表示装置と電気的に接続するための配線のコネクタが接続され、
Ｅ　さらに、前記制御装置側コネクタを含んだ複数のコネクタが列を形成するように実装され、この列には当該制御装置に電源を供給するための電源用コネクタを含めない構成とし、
Ｆ　前記変動表示部の表示態様を複数の表示態様
により
前記変動表示ゲームの結果として
Ｇ　前記複数の表示態様には、前記外れ結果を表す表示態様及び前記当り結果を表す表示態様を含めないようにし、
Ｈ　前記制御装置側コネクタ
は、
であり
Ｉ　前記表示装置側コネクタ
は、
であ
に補正された（下線部は補正箇所を示す。また、Ａ〜Ｉは、分説するために当審にて付した。）。
２　補正の適否
　本件補正は、補正前の請求項１に記載した発明を特定するために必要な事項である「表示装置側コネクタ」に関して、表示装置への実装位置を「当該表示装置を当該遊技機に取り付けた時に前面側となる面」に限定するとともに、当該補正に関連して、補正前の請求項１に記載した発明を特定するために必要な事項である「前記制御装置側コネクタをピン配列が２列のコネクタにて構成するとともに、」を、実質的に意味を変えずに「前記制御装置側コネクタ
は、
であり
は、
であ
により
　また、補正前の請求項１に記載された発明と補正後の請求項１に記載される発明の産業上の利用分野及び解決しようとする課題は同一である。
　したがって、本件補正は、特許法第１７条の２第５項第２号の特許請求の範囲の減縮を目的とするものに該当する。
　そして、本件補正は、新規事項を追加するものではない。
３　独立特許要件について
　本件補正後の請求項１に記載された発明（以下「本願補正発明」という。）が特許出願の際独立して特許を受けることができるものであるか（特許法第１７条の２第６項において準用する同法第１２６条第７項の規定に適合するか）について以下に検討する。
（１）本願補正発明
　本願補正発明は、上記１の本件補正の概要において示したとおりのものである。
（２）刊行物
（２−１）刊行物１に記載された発明
　平成２９年９月７日付け拒絶理由通知に刊行物１として引用され、本願の出願前に頒布された刊行物である特開２０１１−１４３０７１号公報（以下「刊行物１」という。）には、図面とともに以下の事項が記載されている（下線は当審で付した。以下同じ。）。 
（１−ａ）　「【００３１】
　本実施形態の
遊技機１０
（１−ｂ）　「【００４１】
　なお、大入賞口の内部（入賞領域）には、当該大入賞口に入った遊技球を検出する検出手段としてのカウントスイッチ３８ａ（図３参照）が配設されている。
　特別変動入賞装置３８の下方には、入賞口などに入賞しなかった遊技球を回収するアウト口３９が設けられている。
　また、遊技領域３２の外側（例えば、遊技盤３０の上部）には、特図変動表示ゲームをなす
第１特図変動表示ゲーム
を一箇所で実行する一括表示装置５０
【００４２】
　
一括表示装置５０は、図５（ａ）に示すように、７セグメント型の表示器（ＬＥＤランプ）等で構成された第１特図変動表示ゲーム用の第１特図変動表示部（特図１表示器）５１
を備える。
　また、一括表示装置５０には、大当りが発生すると点灯して大当り発生を報知する第１遊技状態表示部（第１遊技状態表示器）５７、時短状態が発生すると点灯して時短状態発生を報知する第２遊技状態表示部（第２遊技状態表示器）６０、遊技機１０の電源投入時に大当りの確率状態が高確率状態となっているエラーを表示するエラー表示部（第３遊技状態表示器）５８、大当り時のラウンド数（特別変動入賞装置３８の開閉回数）を表示するラウンド表示部５９が設けられている。
【００４３】
　
特図１表示器５１と特図２表示器５２における特図変動表示ゲームは、例えば変動表示ゲームの実行中、即ち、表示装置４１において飾り特図変動表示ゲームを行っている間は、中央のセグメントを点滅駆動させて変動中であることを表示する。そして、ゲームの結果が「はずれ」のときは、はずれの結果態様として例えば中央のセグメントを点灯状態にし、ゲームの結果が「当り」のときは、当りの結果態様（特別結果態様）としてはずれの結果態様以外の結果態様（例えば「３」や「７」の数字等）を点灯状態にしてゲーム結果を表示する。
（１−ｃ）　「【０１０３】
　そして、
遊技制御装置１００のＣＰＵ１１１Ａは、
特図１表示器５１や特図２表示器５２に、識別図柄を所定時間変動表示した後、停止表示する特図変動表示ゲームを表示する処理を行う。
　また、演出制御装置３００では、遊技制御装置１００からの制御信号に基づき、表示装置４１で特図変動表示ゲームに対応した飾り特図変動表示ゲームを表示する処理を行う。
　さらに、演出制御装置３００では、遊技制御装置１００からの制御信号に基づき、スピーカ１９ａ，１９ｂからの音の出力、各種ＬＥＤの発光を制御する処理等を行う。」
（１−ｄ）　「【０３７２】
　次に、前記実施形態の遊技機における一括表示装置のより具体的な構成について説明する。図７９には一括表示装置５０と該一括表示装置のセグメント線やデジット線を駆動する遊技制御装置１００のドライバ１３８ｂ，１３８ｃ（図３参照）との電気的な接続構成が示されている。
　図７９において、符号３８０が付されているのは遊技制御装置１００の基板１０１上に設けられるドライバ１３８ｂ，１３８ｃの出力端子が接続されるコネクタ端子、
符号５８０が付されているのは一括表示装置５０のＬＥＤが集約して設けられるユニット基板としてのＬＥＤ基板で、このＬＥＤ基板５８０上にはセグメント線およびデジット線の始端が接続されるコネクタ端子が設けられている。また、符号４８０が付されているのは中継用の端子基板で、この中継用の端子基板４８０上には入力側のコネクタ端子４８１と出力側のコネクタ端子４８２が設けられている。
　なお、各コネクタ端子３８０，４８１，４８２，５８１には、それぞれ１２個の端子が設けられており、これら１２個の端子は上から順に、セグメント線の第１データＳＥＧ１、第２データＳＥＧ２、……第８データＳＥＧ８、デジット線の第１データＤＧＴ０、第２データＤＧＴ１、……第４データＤＧＴ３を伝送するための端子に割り当てられている。
【０３７３】
　
上記遊技制御基板１０１上のコネクタ端子３８０には、両端にコネクタ４９１ａ，４９１ｂを有する接続用リード線４９１の一方のコネクタ４９１ａが挿入され、中継用の端子基板４８０上のコネクタ端子４８１には他方のコネクタ４９１ｂが挿入される。また、中継用の端子基板４８０上のコネクタ端子４８２には、両端にコネクタ４９２ａ，４９２ｂを有する接続用リード線４９２の一方のコネクタ４９２ａが挿入され、一括表示装置５０のＬＥＤ基板５８０上のコネクタ端子５８１には他方のコネクタ４９１ｂが挿入される。これによって、遊技制御装置１００の基板１０１上に設けられているドライバ１３８ｂ，１３８ｃの出力端子と、一括表示装置５０のＬＥＤ基板５８０上の対応するセグメント線およびデジット線とが電気的に接続されるようになっている。
【０３７４】
　図８０には、上記コネクタ端子５８１と一括表示装置５０のＬＥＤ基板５８０上に設けられている７セグメント型ＬＥＤ表示器からなる特図１表示器５１および特図２表示器５２（図５参照）のセグメント端子およびデジット端子との間、および上記コネクタ端子５８１と特図１保留表示器５４および特図２保留表示器５５を構成するＬＥＤランプＤ３〜Ｄ１０，一括表示装置５０の他の表示器５３，５６〜６０を構成するＬＥＤランプＤ１１〜Ｄ１８との間をそれぞれ接続する配線パターンの第１実施例が示されている。
　図８０に示されているように、
コネクタ端子５８１の１２個の端子のうち上側の８個の端子に結合されてセグメントデータＳＥＧ１〜ＳＥＧ８を伝送するデータ線としての配線Ｌ１〜Ｌ８には、特図１表示器５１および特図２表示器５２の７個のセグメントａ〜ｇおよびドットポイントＤＰＡのいずれかが接続されている。
　上記（１−ａ）〜（１−ｄ）の記載事項及び図面から、以下（１−ｅ）〜（１−ｈ）の事項が導かれる。
（１−ｅ）段落【０３７４】には、「コネクタ端子５８１の１２個の端子のうち上側の８個の端子に結合されてセグメントデータＳＥＧ１〜ＳＥＧ８を伝送するデータ線としての配線Ｌ１〜Ｌ８には、特図１表示器５１および特図２表示器５２の７個のセグメントａ〜ｇおよびドットポイントＤＰＡのいずれかが接続されている。」と記載されているから、
コネクタ端子５８１は、特図１表示器５１の７個のセグメントａ〜ｇのいずれかが接続されている端子が配列されたもの
　さらに、段落【０３７２】には、「各コネクタ端子３８０，４８１，４８２，５８１には、それぞれ１２個の端子が設けられており、これら１２個の端子は上から順に、セグメント線の第１データＳＥＧ１、第２データＳＥＧ２、……第８データＳＥＧ８、デジット線の第１データＤＧＴ０、第２データＤＧＴ１、……第４データＤＧＴ３を伝送するための端子に割り当てられている。」と記載されており、コネクタ端子３８０の端子は、コネクタ端子５８１と同様に、セグメント線の第１データＳＥＧ１、第２データＳＥＧ２、……第８データＳＥＧ８が割り当てられた端子を備えているから、
コネクタ端子３８０は、コネクタ端子５８１のセグメントａ〜ｇのいずれかが接続されている端子に対応付けて割り当てられた端子が配列されたもの
　さらに、段落【０３７２】には、「また、符号４８０が付されているのは中継用の端子基板で、この中継用の端子基板４８０上には入力側のコネクタ端子４８１と出力側のコネクタ端子４８２が設けられている。」、段落【０３７３】には、「上記遊技制御基板１０１上のコネクタ端子３８０には、両端にコネクタ４９１ａ，４９１ｂを有する接続用リード線４９１の一方のコネクタ４９１ａが挿入され、中継用の端子基板４８０上のコネクタ端子４８１には他方のコネクタ４９１ｂが挿入される。また、中継用の端子基板４８０上のコネクタ端子４８２には、両端にコネクタ４９２ａ，４９２ｂを有する接続用リード線４９２の一方のコネクタ４９２ａが挿入され、一括表示装置５０のＬＥＤ基板５８０上のコネクタ端子５８１には他方のコネクタ４９１ｂが挿入される。これによって、遊技制御装置１００の基板１０１上に設けられているドライバ１３８ｂ，１３８ｃの出力端子と、一括表示装置５０のＬＥＤ基板５８０上の対応するセグメント線およびデジット線とが電気的に接続されるようになっている。」と記載されており、一括表示装置５０と遊技制御装置１００とは、各コネクタ端子３８０，４８１，４８２，５８１、接続用リード線４９１、中継用の端子基板４８０、接続用リード線４９２により接続されるものであるから、
接続用リード線４９１及び接続用リード線４９２は、中継用の端子基板４８０を介して一括表示装置５０と遊技制御装置１００とを接続するものといえる。
（１−ｆ）段落【０３７２】には、「符号５８０が付されているのは一括表示装置５０のＬＥＤが集約して設けられるユニット基板としてのＬＥＤ基板で、このＬＥＤ基板５８０上にはセグメント線およびデジット線の始端が接続されるコネクタ端子が設けられている。」と記載されており、また、当該記載における「コネクタ端子」が、段落【０３７３】の「一括表示装置５０のＬＥＤ基板５８０上のコネクタ端子５８１には他方のコネクタ４９１ｂが挿入される。」との記載における「コネクタ端子５８１」を意味することは、明らかであるから、刊行物１には、一括表示装置５０のＬＥＤ基板５８０上には、コネクタ端子５８１が設けられ、コネクタ端子５８１には、コネクタ４９２ｂが挿入される点が記載されているといえる。
　さらに、上記認定事項（１−ｅ）より、「コネクタ端子５８１は、特図１表示器５１の７個のセグメントａ〜ｇのいずれかが接続されている端子が配列されたもの」であり、また、「接続用リード線４９１及び接続用リード線４９２は、中継用の端子基板４８０を介して一括表示装置５０と遊技制御装置１００とを接続するもの」であるから、刊行物１には、
一括表示装置５０のＬＥＤ基板５８０上には、特図１表示器５１の７個のセグメントａ〜ｇのいずれかが接続されている端子が配列されたコネクタ端子５８１が設けられ、コネクタ端子５８１に中継用の端子基板４８０を介して遊技制御装置１００と接続するための接続用リード線４９２のコネクタ４９２ｂが挿入される点
（１−ｇ）段落【０３７３】には、「上記遊技制御基板１０１上のコネクタ端子３８０には、両端にコネクタ４９１ａ，４９１ｂを有する接続用リード線４９１の一方のコネクタ４９１ａが挿入され、」と記載されているから、刊行物１には、遊技制御基板１０１上にはコネクタ端子３８０が設けられ、コネクタ端子３８０に接続用リード線４９１のコネクタ４９１ａが挿入される点が記載されているといえる。
　さらに、上記認定事項（１−ｅ）より、「コネクタ端子３８０は、コネクタ端子５８１のセグメントａ〜ｇのいずれかが接続されている端子に対応付けて割り当てられた端子が配列されたもの」であり、また、「接続用リード線４９１及び接続用リード線４９２は、中継用の端子基板４８０を介して一括表示装置５０と遊技制御装置１００とを接続するもの」であるから、刊行物１には、
遊技制御装置１００の基板１０１には、コネクタ端子５８１のセグメントａ〜ｇのいずれかが接続されている端子に対応付けて割り当てられた端子が配列されたコネクタ端子３８０が設けられ、コネクタ端子３８０に中継用の端子基板４８０を介して一括表示装置５０と接続するための接続用リード線４９１のコネクタ４９１ａが挿入される点
（１−ｈ）図７９には、５８１との符号が付された部材について、１〜１２の符号が付された丸を、一列に配列した点が図示されている。
　また、段落【０３７２】の「各コネクタ端子３８０，４８１，４８２，５８１には、それぞれ１２個の端子が設けられており」との記載より、図７９に図示された上記１〜１２の符号が付された丸は、「コネクタ端子５８１」の各端子を意味することは、明らかである。
　よって、刊行物１には、
コネクタ端子５８１は、端子が１列に配置されたコネクタである点
　上記（１−ａ）〜（１−ｄ）の記載事項及び（１−ｅ）〜（１−ｈ）の認定事項を総合すると、刊行物１には、次の発明（以下「刊行物１発明」という。）が記載されていると認められる。（ａ〜ｄ、ｆ、ｉは、本願補正発明のＡ〜Ｄ、Ｆ、Ｉに対応させて付した。）
「ａ　第１特図変動表示ゲームを実行する特図１表示器５１を有する一括表示装置５０と、特図１表示器５１に特図変動表示ゲームを表示する処理を行う遊技制御装置１００と、を備える遊技機１０において、（段落【００３１】、【００４１】、【００４２】、【０１０３】）
ｂ　特図１表示器５１は７セグメント型のＬＥＤランプで構成され、（段落【００４２】）
ｃ　一括表示装置５０のＬＥＤ基板５８０上には、特図１表示器５１の７個のセグメントａ〜ｇのいずれかが接続されている端子が配列されたコネクタ端子５８１が設けられ、コネクタ端子５８１に中継用の端子基板４８０を介して遊技制御装置１００と接続するための接続用リード線４９２のコネクタ４９２ｂが挿入され、（認定事項（１−ｆ））
ｄ　遊技制御装置１００の基板１０１には、コネクタ端子５８１のセグメントａ〜ｇのいずれかが接続されている端子に対応付けて割り当てられた端子が配列されたコネクタ端子３８０が設けられ、コネクタ端子３８０に中継用の端子基板４８０を介して一括表示装置５０と接続するための接続用リード線４９１のコネクタ４９１ａが挿入され、（認定事項（１−ｇ））
ｆ　特図１表示器５１における変動表示ゲームは、中央のセグメントを点滅駆動させて変動中であることを表示し、ゲームの結果がはずれのときは、はずれの結果態様として中央のセグメントを点灯状態にし、ゲームの結果が当りのときは、数字等の当りの結果態様を点灯状態にしてゲーム結果を表示し、（段落【００４３】）
ｉ　コネクタ端子５８１は、端子が１列に配置されたコネクタである、遊技機１０。（認定事項（１−ｈ）、段落【００３１】）
（２−２）刊行物２に記載された事項
　平成２９年９月７日付け拒絶理由通知に刊行物２として引用され、本願の出願前に頒布された刊行物である特開２００９−１７２２９７号公報（以下「刊行物２」という。）には、図面とともに以下の事項が記載されている（下線は当審で付した。以下同じ。）。
（２−ａ）　「【００１３】
　以下、本発明の実施態様について詳細に説明する。図１は、本実施形態に係る
パチンコ機ＧＭ
（２−ｂ）　「【００３８】
　
主制御部２１において点灯駆動されるＬＥＤ群は、具体的には、抽選結果表示部１４を構成する７セグメントＬＥＤと、普通図柄表示部１９を構成する２個のＬＥＤランプである。
【００３９】
　
図４は、主制御基板２１の回路構成を概略的に図示したものである。
Ｏによって、内外に二分割されている。そして、二分割された内側ベタアースＥＲ１と外側ベタアースＥＲ２とは、回路基板の裏面において、逆Ｃ字の開放端である電流出口部ＥＸＴで接続されている。したがって、電子部品が配置される回路基板の表面側については、ベタアース面が隔離ラインＩＳＯによって、完全に内外に二分される。
・・・
【００４２】
　一方、隔離ラインＩＳＯの外側には、払出制御基板２４と各種信号を送受信する第一制御コネクタＣＮ１と、電源基板２０から直流電圧や制御信号ＳＹＳ，ＣＬＲ，ＡＢＮを受ける
電源コネクタＣＮ２
遊技コネクタＣＮ３
第二制御コネクタＣＮ４
ＬＥＤランプ群に点灯制御信号を出力する点灯コネクタＣＮ５
　上記（２−ａ）、（２−ｂ）の記載事項及び図面から、以下（２−ｃ）の事項が導かれる。
（２−ｃ）図４には、四角形状の部材の上側の辺にそって、それぞれ「ＣＮ３」、「ＣＮ４」、「ＣＮ５」との符号が付された３つの四角形の部品が一列に配置され、四角形状の部材の左側の辺の側に、「ＣＮ２」との符号が付された四角形の部品が配置されている点が図示されている。
　さらに、段落【００３９】には、「図４は、主制御基板２１の回路構成を概略的に図示したものである。」と記載されているから、図４に図示された上記四角形状の部材が主制御基板２１を表すことは明らかである。また、段落【００４２】には、「電源コネクタＣＮ２」、「遊技コネクタＣＮ３」、「第二制御コネクタＣＮ４」及び「ＬＥＤランプ群に点灯制御信号を出力する点灯コネクタＣＮ５」と記載されており、また、図４に図示された上記「四角形状の部材の上側の辺にそって、それぞれ「ＣＮ３」、「ＣＮ４」、「ＣＮ５」との符号が付された３つの四角形の部品が一列に配置され、四角形状の部材の左側の辺の側に、「ＣＮ２」との符号が付された四角形の部品が配置されている」ことは、「ＣＮ３」、「ＣＮ４」、「ＣＮ５」との符号が付された３つの四角形の部品が列を形成するように実装され、この列には「ＣＮ２」との符号が付された四角形の部品は含めないこととといえるから、刊行物２には、
主制御基板２１には、ＬＥＤランプ群に点灯制御信号を出力する点灯コネクタＣＮ５、遊技コネクタＣＮ３、及び、第二制御コネクタＣＮ４が列を形成するように実装され、この列には電源コネクタＣＮ２は含めない点
　上記（２−ａ）、（２−ｂ）の記載事項及び（２−ｃ）の認定事項を総合すると、刊行物２には、次の事項が記載されていると認められる（以下「刊行物２記載の事項」という。）。  
「パチンコ機ＧＭにおいて（段落【００１３】）、主制御基板２１には、抽選結果表示部１４を構成する７セグメントＬＥＤを含むＬＥＤランプ群に点灯制御信号を出力する点灯コネクタＣＮ５、遊技コネクタＣＮ３、及び、第二制御コネクタＣＮ４が列を形成するように実装され、この列には電源コネクタＣＮ２は含めない点。（段落【００３８】、認定事項（１−ｃ））」
（２−３）刊行物３に記載された事項
　平成２９年９月７日付け拒絶理由通知に刊行物３として引用され、本願の出願前に頒布された刊行物である特開２００９−１８９５６３号公報（以下「刊行物３」という。）には、図面とともに以下の事項が記載されている（下線は当審で付した。以下同じ。）。
（３−ａ）　「【００２１】
［遊技機の構成］
　まず、遊技機の概観について図１乃至図４を用いて説明する。図１は、本実施形態における
パチンコ遊技機１０
（３−ｂ）　「【００３１】
　
特別図柄表示器３５は、７セグメントＬＥＤで構成されている。
所定の変動パターン（例えば、図９参照）で特別図柄（識別情報ともいう）として変動表示される。この特別図柄として、特定の数字図柄（例えば、“７”などの図柄）が停止表示された場合は、通常遊技状態から遊技者に有利な状態である大当たり遊技状態（特別遊技状態）に遊技状態が移行する。
一方、特別図柄として、特定の数字図柄以外の数字図柄が停止表示された場合は、通常遊技状態が維持される。
（３−ｃ）　「【０１０４】
［特別図柄変動表示パターン］
　
図９は、特別図柄（識別）の変動表示パターンテーブルを示す説明図である。
【０１０５】
　
特別図柄の変動表示パターンのステップ１のパターン１では、
ステップ１では、上回転に点灯していくという変動表示パターンである。
【０１０６】
　
特別図柄の変動表示パターンのステップ２のパターン１では、
ステップ２では、下回転に点灯していくという変動表示パターンである。
【０１０７】
　
特別図柄の変動表示パターンのステップ１のパターン３では、
ステップ３では、全部回転して点灯していくという変動表示パターンである。
【０１０８】
　
特別図柄の変動表示パターンのステップ４のパターン１では、
ステップ４では、ＣＨＡＡＡＮＣＥと点灯していくという変動表示パターンである。
　上記（３−ａ）〜（３−ｃ）の記載事項及び図面から、以下（３−ｄ）の事項が導かれる。
（３−ｄ）段落【０１０４】には、「図９は、特別図柄（識別）の変動表示パターンテーブルを示す説明図である。」と記載されており、また、段落【０１０５】には、「特別図柄の変動表示パターンのステップ１のパターン１では、・・・ステップ１では、上回転に点灯していくという変動表示パターンである。」、段落【０１０６】には、「特別図柄の変動表示パターンのステップ２のパターン１では、・・・ステップ２では、下回転に点灯していくという変動表示パターンである。」、段落【０１０７】には、「特別図柄の変動表示パターンのステップ１のパターン３では、・・・ステップ３では、全部回転して点灯していくという変動表示パターンである。」、段落【０１０８】には、「特別図柄の変動表示パターンのステップ４のパターン１では、・・・ステップ４では、ＣＨＡＡＡＮＣＥと点灯していくという変動表示パターンである。」と記載されているから、段落【００３１】の「所定の変動パターン（例えば、図９参照）で特別図柄（識別情報ともいう）として変動表示される。」との記載における「所定の変動パターン」は、図９の「ステップ１」、「ステップ２」、「ステップ３」、「ステップ４」の「変動パターン」を指すといえる。
　そして、図９には、「ステップ１」、「ステップ２」、「ステップ３」、「ステップ４」における７セグメントＬＥＤの点灯箇所が図示されており、また、図９に図示される７セグメントＬＥＤの点灯形態は、すべて数字図柄を含んでいない。
　よって、刊行物３には、
所定の変動パターンは、数字図柄を含まない点
　上記（３−ａ）〜（３−ｃ）の記載事項及び（３−ｄ）の認定事項を総合すると、刊行物３には、次の事項が記載されていると認められる（以下「刊行物３記載の事項」という。）。  
「パチンコ遊技機１０において（段落【００２１】）、７セグメントＬＥＤで構成される特別図柄表示器３５は、所定の変動パターンで特別図柄として変動表示され、特別図柄として特定の数字図柄が停止表示された場合は、通常遊技状態から遊技者に有利な状態である大当たり遊技状態に遊技状態が移行し、特別図柄として、特定の数字図柄以外の数字図柄が停止表示された場合は、通常遊技状態が維持され（段落【００３１】）、所定の変動パターンは、数字図柄を含まない点。（認定事項（３−ｄ））」
（２−４）刊行物４に記載された事項
　平成２９年９月７日付け拒絶理由通知に刊行物４として引用され、本願の出願前に頒布された刊行物である特開２０１２−９５８８０号公報（以下「刊行物４」という。）には、図面とともに以下の事項が記載されている（下線は当審で付した。以下同じ。）。
（４−ａ）　「【０２２５】
〔第２実施形態〕
　次に、第２実施形態の
遊技機１０
　なお、第２実施形態の遊技機１０においては、遊技制御基板１１０を分割構成とした点が、第１実施形態の遊技機１０と異なる。したがって、以下、第１実施形態と同様の構成を有する部分については同じ符号を付して説明を省略し、主に異なる部分について説明する。」
（４−ｂ）　「【０２５５】
　また、第１実施形態ではその説明を省略したが、
遊技制御基板１１０には、
一括表示装置５０に駆動信号を出力する特図普図ＬＥＤ用コネクタ１１６Ｆが実装されている。
  なお、第１実施形態の場合も本実施形態の場合も、遊技制御基板１１０に実装されている電源用コネクタ１１８や外部通信用コネクタ１１９以外のその他のコネクタ１１６は、前述したものに限ることはなく任意である。」
　上記（４−ａ）〜（４−ｃ）の記載事項及び図面から、以下（４−ｄ）の事項が導かれる。
（４−ｄ）図３１には、１１６（１１６Ｆ）との符号が付された四角に、２列に点を配置した点が図示されている。また、図３１において、上記１１６（１１６Ｆ）との符号が付された四角が段落【０２５５】に記載の「特図普図ＬＥＤ用コネクタ１１６Ｆ」を表し、２列に配置した点が２列のピンを表すことは明らかであるから、刊行物４には、
特図普図ＬＥＤ用コネクタ１１６Ｆは、ピン配列が２列のコネクタである点
　上記（４−ａ）〜（４−ｃ）の記載事項及び（４−ｄ）の認定事項を総合すると、刊行物４には、次の事項が記載されていると認められる（以下「刊行物４記載の事項」という。）。
「遊技機１０において（段落【０２２５】）、遊戯制御基板１１０には一括表示装置５０に駆動信号を出力する特図普図ＬＥＤ用コネクタ１１６Ｆが実装され（段落【０２５５】）、特図普図ＬＥＤ用コネクタ１１６Ｆは、ピン配列が２列のコネクタである点（認定事項（４−ｄ））。」
（３）対比
　本願補正発明と刊行物１発明とを対比する（下記の（ａ）〜（ｄ）、（ｆ）、（ｉ）は、刊行物１発明の構成ａ〜ｄ、ｆ、ｉに対応している。）。
（ａ）刊行物１発明の「第１特図変動表示ゲーム」、「特図１表示器５１」、「一括表示装置５０」、「特図１表示器５１に特図変動表示ゲームを表示する処理を行う遊技制御装置１００」及び「遊技機１０」は、それぞれ、本願補正発明の「変動表示ゲーム」、「変動表示部」、「表示装置」、「前記変動表示ゲームの制御を行う制御装置」及び「遊技機」に相当する。
　したがって、刊行物１発明における「第１特図変動表示ゲームを実行する特図１表示器５１を有する一括表示装置５０と、特図１表示器５１に特図変動表示ゲームを表示する処理を行う遊技制御装置１００と、を備える遊技機１０」は、本願補正発明における「変動表示ゲームを実行可能な変動表示部を有する表示装置と、前記変動表示ゲームの制御を行う制御装置と、を備える遊技機」に相当する。
（ｂ）刊行物１発明において、「７セグメント型のＬＥＤランプ」が７つのセグメントからなることは当業者にとって自明である。また、刊行物１発明において、「７セグメント型のＬＥＤランプ」を構成する各「セグメント」は、本願補正発明の「発光部材」に相当する。
　したがって、刊行物１発明において「特図１表示器５１は７セグメント型のＬＥＤランプで構成され」ることは、本願補正発明において「前記変動表示部は、複数の発光部材により構成されてな」ることに相当する。
（ｃ）刊行物１発明において、「端子」がピンを有することは、当業者にとって自明である。また、刊行物１発明の「端子」は、「特図１表示器５１の７個のセグメントａ〜ｇのいずれかが接続されている」から、「端子」のピンは、「特図１表示器５１の７個のセグメントａ〜ｇ」に対応するものといえる。よって、刊行物１発明の「特図１表示器５１の７個のセグメントａ〜ｇのいずれかが接続されている端子が配列されたコネクタ端子５８１」は、本願補正発明の「前記複数の発光部材に対応する複数のピンが配列された表示装置側コネクタ」に相当する。さらに、刊行物１発明の「コネクタ端子５８１」は、「一括表示装置５０のＬＥＤ基板５８０上に」設けられているから、「一括表示装置５０」は、「コネクタ端子５８１」が実装されているといえる。
　また、刊行物１発明の「中継用の端子基板４８０を介して遊技制御装置１００と接続するための接続用リード線４９２」は、本願補正発明の「前記制御装置と電気的に接続するための配線」に相当するから、刊行物１発明の「中継用の端子基板４８０を介して遊技制御装置１００と接続するための接続用リード線４９２のコネクタ４９２ｂ」は、本願補正発明の「前記制御装置と電気的に接続するための配線のコネクタ」に相当する。
　したがって、刊行物１発明において「一括表示装置５０のＬＥＤ基板５８０上には、特図１表示器５１の７個のセグメントａ〜ｇのいずれかが接続されている端子が配列されたコネクタ端子５８１が設けられ、コネクタ端子５８１に中継用の端子基板４８０を介して遊技制御装置１００と接続するための接続用リード線４９２のコネクタ４９２ｂが挿入され」ることは、本願補正発明における構成Ｃと、「前記表示装置は」、「前記複数の発光部材に対応する複数のピンが配列された表示装置側コネクタが」「実装され、該表示装置側コネクタに前記制御装置と電気的に接続するための配線のコネクタが接続され」る点で共通する。
（ｄ）刊行物１発明において、「端子」がピンを有することは、当業者にとって自明である。また、刊行物１発明において、「コネクタ端子５８１のセグメントａ〜ｇのいずれかが接続されている端子」は、「特図１表示器５１の７個のセグメントａ〜ｇのいずれかが接続されている」（構成ｃ）ものであるから、刊行物１発明の「コネクタ端子５８１のセグメントａ〜ｇのいずれかが接続されている端子に対応付けて割り当てられた端子が配列された」ことは、本願補正発明の「前記複数の発光部材に対応する複数のピンが配列された」ことに相当する。よって、刊行物１発明の「コネクタ端子５８１のセグメントａ〜ｇのいずれかが接続されている端子に対応付けて割り当てられた端子が配列されたコネクタ端子３８０」は、本願補正発明の「前記複数の発光部材に対応する複数のピンが配列された制御装置側コネクタ」に相当する。さらに、刊行物１発明の「コネクタ端子３８０」は、「遊技制御装置１００の基板１０１に」設けられているから、「遊技制御装置１００」は、「コネクタ端子３８０」が実装されているといえる。
　また、刊行物１発明の「中継用の端子基板４８０を介して一括表示装置５０と接続するための接続用リード線４９１」は、本願補正発明の「前記表示装置と電気的に接続するための配線」に相当するから、刊行物１発明の「中継用の端子基板４８０を介して一括表示装置５０と接続するための接続用リード線４９１のコネクタ４９１ａ」は、本願補正発明の「前記表示装置と電気的に接続するための配線のコネクタ」に相当する。
　したがって、刊行物１発明において「遊技制御装置１００の基板１０１には、コネクタ端子５８１のセグメントａ〜ｇのいずれかが接続されている端子に対応付けて割り当てられた端子が配列されたコネクタ端子３８０が設けられ、コネクタ端子３８０に中継用の端子基板４８０を介して一括表示装置５０と接続するための接続用リード線４９１のコネクタ４９１ａが挿入され」ることは、本願補正発明において「前記制御装置は」、「前記複数の発光部材に対応する複数のピンが配列された制御装置側コネクタが実装され、該制御装置側コネクタに前記表示装置と電気的に接続するための配線のコネクタが接続され」ることに相当する。
（ｆ）刊行物１発明において「特図１表示器５１における変動表示ゲームは、中央のセグメントを点滅駆動させ」る際には、「中央のセグメント」が点灯している状態と消灯している状態を繰り返すこととなるから、「特図１表示器５１」の表示態様を「中央のセグメント」が点灯している状態と消灯している状態からなる２つの表示態様により循環的に順次変化させているといえる。よって、刊行物１発明において「特図１表示器５１における変動表示ゲームは、中央のセグメントを点滅駆動させて変動中であることを表示」することは、本願補正発明において「前記変動表示部の表示態様を複数の表示態様により循環的に順次変化させることで前記変動表示ゲームが実行中であることを表示させる」ことといえる。
　また、刊行物１発明において、「ゲームの結果がはずれのときは、はずれの結果態様として中央のセグメントを点灯状態」にすること、及び、「ゲームの結果が当りのときは、数字等の当りの結果態様を点灯状態」にすることは、それぞれ、本願補正発明において、「前記変動表示ゲームの結果として一以上の発光部材を点灯させることで外れ結果」「を表示させ」ること、及び、「前記変動表示ゲームの結果として一以上の発光部材を点灯させることで」「当り結果を表示させ」ることに相当する。よって、刊行物１発明において「ゲームの結果がはずれのときは、はずれの結果態様として中央のセグメントを点灯状態にし、ゲームの結果が当りのときは、数字等の当りの結果態様を点灯状態にしてゲーム結果を表示」することは、本願補正発明において「前記変動表示ゲームの結果として一以上の発光部材を点灯させることで外れ結果又は当り結果を表示させ」ることに相当する。
　したがって、刊行物１発明において「特図１表示器５１における変動表示ゲームは、中央のセグメントを点滅駆動させて変動中であることを表示し、ゲームの結果がはずれのときは、はずれの結果態様として中央のセグメントを点灯状態にし、ゲームの結果が当りのときは、数字等の当りの結果態様を点灯状態にしてゲーム結果を表示」することは、本願補正発明において「前記変動表示部の表示態様を複数の表示態様により循環的に順次変化させることで前記変動表示ゲームが実行中であることを表示させるとともに、前記変動表示ゲームの結果として一以上の発光部材を点灯させることで外れ結果又は当り結果を表示させ」ることに相当する。
（ｉ）刊行物１発明において、「端子」がピンを有することは、当業者にとって自明である。よって、刊行物１発明において「端子が１列に配置され」ることは、本願補正発明において「ピン配列が１列」であることに相当する。
　したがって、刊行物１発明における「コネクタ端子５８１は、端子が１列に配置されたコネクタである」は、本願補正発明における「前記表示装置側コネクタは、ピン配列が１列のコネクタであること」に相当する。
　以上、（ａ）〜（ｄ）、（ｆ）、（ｉ）の対比より、本願補正発明と刊行物１発明とは、
「Ａ　変動表示ゲームを実行可能な変動表示部を有する表示装置と、前記変動表示ゲームの制御を行う制御装置と、を備える遊技機において、
Ｂ　前記変動表示部は、複数の発光部材により構成されてなり、
Ｃ’前記表示装置は、
　　前記複数の発光部材に対応する複数のピンが配列された表示装置側コネクタが実装され、該表示装置側コネクタに前記制御装置と電気的に接続するための配線のコネクタが接続され、
Ｄ　前記制御装置は、
　　前記複数の発光部材に対応する複数のピンが配列された制御装置側コネクタが実装され、該制御装置側コネクタに前記表示装置と電気的に接続するための配線のコネクタが接続され、
Ｆ　前記変動表示部の表示態様を複数の表示態様により循環的に順次変化させることで前記変動表示ゲームが実行中であることを表示させるとともに、前記変動表示ゲームの結果として一以上の発光部材を点灯させることで外れ結果又は当り結果を表示させ、
Ｉ　前記表示装置側コネクタは、ピン配列が１列のコネクタである遊技機。」
である点で一致し、以下の点で相違する。
（相違点１）表示装置側コネクタに関して、本願補正発明は、「前記表示装置は」、「表示装置側コネクタが、当該表示装置を当該遊技機に取り付けた時に前面側となる面に実装され」ると特定されているのに対して、刊行物１発明はそのように特定されていない点。（構成Ｃ）
（相違点２）制御装置のコネクタに関して、本願補正発明は、「さらに、前記制御装置側コネクタを含んだ複数のコネクタが列を形成するように実装され、この列には当該制御装置に電源を供給するための電源用コネクタを含めない」と特定されているのに対し、刊行物１発明はそのように特定されていない点。（構成Ｅ）
（相違点３）変動表示ゲームが実行中であることを表示する変動表示部の複数の表示態様に関して、本願補正発明は、「前記複数の表示態様には、前記外れ結果を表す表示態様及び前記当り結果を表す表示態様を含めない」と特定されているのに対し、刊行物１発明はそのように特定されていない点。（構成Ｇ）
（相違点４）制御装置側コネクタに関して、本願補正発明は、「前記制御装置側コネクタは、ピン配列が２列のコネクタであ」ると特定されているのに対し、刊行物１発明はそのように特定されていない点。（構成Ｈ）
（４）判断
ア　相違点１について
　上記相違点１について検討する。
　遊技機に設けられ、発光部材を有する表示装置において、表示装置に設ける表示装置側コネクタを、当該表示装置を当該遊技機に取り付けた時に前面側となる面に実装することは、周知技術に過ぎない（例えば、特開２００７−７０９８号公報（段落【００６８】、図８には、「第２ＬＥＤ回路基板５０」（表示装置）の前面側に「基板コネクタ５３」（表示装置側コネクタ）を実装する点が記載されている。）、特開２０１１−５０４６５号公報（段落【０１２０】、図１４には、「遊技情報表示基板８１」（表示装置）の前面側に「コネクタ８７」（表示装置側コネクタ）を実装する点が記載されている。）、特開２００６−９５１９７号公報（段落【００３９】、図７には、「ラウンド数報知装置９００」（表示装置）の「基盤９０５」の前面側に「コネクタ９０６」（表示装置側コネクタ）を実装する点が記載されている。）等参照。）。
　そして、刊行物１発明において、「コネクタ端子５８１」を「一括表示装置５０」の何処に実装するかは、「一括表示装置５０」の遊技機への取り付けのし易さや他の部材との位置関係等を考慮して当業者が適宜設定し得るものであるから、刊行物１発明において、「コネクタ端子５８１」の実装位置に関して上記周知技術を適用し、「コネクタ端子５８１」（表示装置側コネクタ）を、「一括表示装置５０」（表示装置）を遊技機に取り付けた時に前面側となる面に実装し、上記相違点１に係る本願補正発明の構成とすることは、当業者が容易に想到し得たことである。
イ　相違点２について
　上記相違点２について検討する。
　上記（２）（２−２）で示した通り、刊行物２には、次の事項（刊行物２記載の事項）が記載されていると認められる。
「パチンコ機ＧＭにおいて、主制御基板２１には、抽選結果表示部１４を構成する７セグメントＬＥＤを含むＬＥＤランプ群に点灯制御信号を出力する点灯コネクタＣＮ５、遊技コネクタＣＮ３、及び、第二制御コネクタＣＮ４が列を形成するように実装され、この列には電源コネクタＣＮ２は含めない点。」
　刊行物２記載の事項の「主制御基板２１」、「抽選結果表示部１４を構成する７セグメントＬＥＤを含むＬＥＤランプ群に点灯制御信号を出力する点灯コネクタＣＮ５」及び「電源コネクタＣＮ２」は、それぞれ、本願補正発明の「制御装置」、「制御装置側コネクタ」及び「電源用コネクタ」に対応するものといえる。また、刊行物２記載の事項において「抽選結果表示部１４を構成する７セグメントＬＥＤを含むＬＥＤランプ群に点灯制御信号を出力する点灯コネクタＣＮ５、遊技コネクタＣＮ３、及び、第二制御コネクタＣＮ４が列を形成するように実装され」ていることは、本願補正発明において「制御装置側コネクタを含んだ複数のコネクタが列を形成するように実装され」ていることに対応するといえる。
　よって、刊行物２記載の事項は、本願補正発明における「前記制御装置側コネクタを含んだ複数のコネクタが列を形成するように実装され、この列には当該制御装置に電源を供給するための電源用コネクタを含めない」との事項に対応する構成を有しているといえる。
　そして、刊行物１発明と刊行物２記載の事項とは、表示装置を接続するための制御装置側コネクタを設けた制御装置を備える点で共通し、また、各コネクタの配置は当業者が適宜設定し得るものであることを考慮すれば、刊行物１発明において、「遊技制御装置１００」（制御装置）の「基板１０１」に設けるコネクタの構成に刊行物２記載の事項を適用し、「コネクタ端子３８０」（制御装置側コネクタ）を含んだ複数のコネクタが列を形成するように実装され、この列には「遊技制御装置１００」（制御装置）に電源を供給するための電源用コネクタを含めないものとし、上記相違点２に係る本願補正発明の構成とすることは、当業者が容易に想到し得たことである。
ウ　相違点３について
　上記相違点３について検討する。
　上記（２）（２−３）で示した通り、刊行物３には、次の事項（刊行物３記載の事項）が記載されていると認められる。
「パチンコ遊技機１０において、７セグメントＬＥＤで構成される特別図柄表示器３５は、所定の変動パターンで特別図柄として変動表示され、特別図柄として特定の数字図柄が停止表示された場合は、通常遊技状態から遊技者に有利な状態である大当たり遊技状態に遊技状態が移行し、特別図柄として、特定の数字図柄以外の数字図柄が停止表示された場合は、通常遊技状態が維持され、所定の変動パターンは、数字図柄を含まない点。」
　刊行物３記載の事項における「特定の数字図柄」及び「特定の数字図柄以外の数字図柄」は、それぞれ、本願補正発明の「当り結果を表す表示態様」及び「外れ結果を表す表示態様」に対応するものといえる。そして、刊行物３記載の事項における「所定の変動パターン」は本願補正発明の「複数の表示態様」に対応し、刊行物３記載の事項は「所定の変動パターンは、数字図柄を含まない」ものであるから、刊行物３記載の事項は、本願補正発明における「前記複数の表示態様には、前記外れ結果を表す表示態様及び前記当り結果を表す表示態様を含めないように」するとの事項に対応する構成を有しているといえる。
　そして、刊行物１発明と刊行物３記載の事項とは、７セグメント型の変動表示部により、変動表示と結果の表示を行う遊技機に関するものである点で共通するから、刊行物１発明において、刊行物３記載の事項を適用し、「特図１表示器５１」において変動中であることを表示する際に循環的に順次変化させる複数の表示態様を、外れ結果を表す表示態様及び当り結果を表す表示態様を含めないものとすることで、上記相違点３に係る本願補正発明の構成とすることは、当業者であれば容易になし得たことである。
エ　相違点４について
　上記相違点４について検討する。
　上記（２）（２−４）で示した通り、刊行物４には、次の事項（刊行物４記載の事項）が記載されていると認められる。
「遊技機１０において、遊戯制御基板１１０には一括表示装置５０に駆動信号を出力する特図普図ＬＥＤ用コネクタ１１６Ｆが実装され、特図普図ＬＥＤ用コネクタ１１６Ｆは、ピン配列が２列のコネクタである点。」
　刊行物４記載の事項における、「遊戯制御基板１１０」に実装される「一括表示装置５０に駆動信号を出力する特図普図ＬＥＤ用コネクタ１１６Ｆ」は、本願補正発明における「制御装置側コネクタ」に対応するものといえるから、刊行物４記載の事項は、本願補正発明における「前記制御装置側コネクタは、ピン配列が２列のコネクタであ」るとの事項に対応する構成を有しているといえる。
　また、刊行物１発明と刊行物４記載の事項は、制御装置に表示装置と接続するための制御装置側コネクタを実装する点で共通するものであり、また、コネクタの形状は、当業者が適宜設定し得るものであることを考慮すれば、刊行物１発明において、「コネクタ端子３８０」（制御装置側コネクタ）を、刊行物４記載の事項を適用してピン配列が２列のコネクタとし、上記相違点４に係る本願補正発明の構成とすることは、当業者が容易に想到し得たことである。
（５）請求人の主張について
　請求人は、平成２９年１１月２日付けの意見書の【意見の内容】、「５．本願発明と引用文献との比較」において、「補正後の本願請求項１に記載の発明（以下、本願発明という）と引用文献１−４とを比較すると、引用文献１−４は、『前記表示装置は、前記複数の発光部材に対応する複数のピンが配列された表示装置側コネクタが、当該表示装置を当該遊技機に取り付けた時に前面側となる面に実装され』及び『前記表示装置側コネクタは、ピン配列が１列のコネクタである』という特徴的構成について開示していない。
・・・これに対して、引用文献１には、一括表示装置５０のＬＥＤ基板５８０の裏面に２つのコネクタ端子５８１、５８２を設ける旨が記載され（引用文献１、図８９）、一括表示装置５０のＬＥＤ基板５８０の裏面に４つのコネクタ端子５８１、５８２、５８３、５８４を設ける旨が記載されているが（引用文献１、図９２）、一括表示装置５０のＬＥＤ基板５８０の前面にコネクタ端子を実装する旨の記載及び示唆はない。
　また、引用文献２−４には、上記特徴的構成に関する記載及び示唆はない。
　従って、本願発明は、引用文献１−４が開示しない構成及び当該構成による有利な効果を具備するものであり、当業者であっても容易に想到することができないため、進歩性を有するものと思量される。」との主張をしている。
　しかしながら、上記「（４）ア」で示したとおり、遊技機に設けられ、発光部材を有する表示装置において、表示装置に設ける表示装置側コネクタを、当該表示装置を当該遊技機に取り付けた時に前面側となる面に実装することは、周知技術に過ぎず、また、刊行物１発明において当該周知技術を適用することは、当業者が容易に想到し得たことであるから、請求人の上記主張は採用することができない。
（６）まとめ
　以上のように、本願補正発明は、当業者が刊行物１発明、刊行物２記載の事項、刊行物３記載の事項、刊行物４記載の事項及び周知技術に基づいて容易に発明をすることができたものであるから、特許法第２９条第２項の規定により、特許出願の際独立して特許を受けることができない。
４ 補正却下の決定についてのむすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正は上記のとおり却下されたので、本願の請求項に係る発明は、平成２９年８月８日付けの手続補正書により補正された特許請求の範囲に記載されたとおりのものであり、その請求項１に係る発明（以下「本願発明」という。）は次のとおりである（Ａ〜Ｉ”は、分説するために当審にて付した。）。
「【請求項１】
Ａ　変動表示ゲームを実行可能な変動表示部を有する表示装置と、前記変動表示ゲームの制御を行う制御装置と、を備える遊技機において、
Ｂ　前記変動表示部は、複数の発光部材により構成されてなり、
Ｃ”前記表示装置は、
　　前記複数の発光部材に対応する複数のピンが配列された表示装置側コネクタが実装され、該表示装置側コネクタに前記制御装置と電気的に接続するための配線のコネクタが接続され、
Ｄ　前記制御装置は、
　　前記複数の発光部材に対応する複数のピンが配列された制御装置側コネクタが実装され、該制御装置側コネクタに前記表示装置と電気的に接続するための配線のコネクタが接続され、
Ｅ　さらに、前記制御装置側コネクタを含んだ複数のコネクタが列を形成するように実装され、この列には当該制御装置に電源を供給するための電源用コネクタを含めない構成とし、
Ｆ”前記変動表示部の表示態様を複数の表示態様の間で循環的に順次変化させることで前記変動表示ゲームが実行中であることを表示させるとともに、一以上の発光部材を点灯させることで外れ結果又は当り結果を表示させ、
Ｇ　前記複数の表示態様には、前記外れ結果を表す表示態様及び前記当り結果を表す表示態様を含めないようにし、
Ｈ”前記制御装置側コネクタをピン配列が２列のコネクタにて構成するとともに、
Ｉ”前記表示装置側コネクタをピン配列が１列のコネクタにて構成することを特徴とする遊技機。」
２　拒絶理由通知の概要
　平成２９年９月７日付け拒絶理由通知は、本願発明は、当業者が特開２０１１−１４３０７１号公報（刊行物１）に記載された発明、特開２００９−１７２２９７号公報（刊行物２）に記載された事項、特開２００９−１８９５６３号公報（刊行物３）に記載された事項、及び、特開２０１２−９５８８０号公報（刊行物４）に記載された事項に基づいて容易に発明をすることができたものであるから、特許法第２９条第２項の規定により特許を受けることができないというものである。
３　刊行物
　刊行物１及びその記載事項並びに刊行物１発明、刊行物２及びその記載事項並びに刊行物２記載の事項、刊行物３及びその記載事項並びに刊行物３記載の事項、刊行物４及びその記載事項並びに刊行物４記載の事項は、それぞれ、上記「第２　３（２）（２−１）」、「第２　３（２）（２−２）」、「第２　３（２）（２−３）」、「第２　３（２）（２−４）」に記載したとおりである。
４　対比・判断
　本願発明は、本願補正発明を特定するために必要な事項である「表示装置側コネクタ」に関して、「当該表示装置を当該遊技機に取り付けた時に前面側となる面に」実装されるとの事項を省くとともに、本願補正発明を特定するために必要な事項である「前記制御装置側コネクタ
は、
であり
は、
であ
により
前記変動表示ゲームの結果として
により
　本願発明と刊行物１発明とを対比する。
　本願発明における構成Ａ、Ｂ、Ｄと刊行物１発明における構成ａ、ｂ、ｄとの対比については、上記「第２　３（３）」において検討したとおりである。
（ｃ）本願発明における構成Ｃ”は、本願補正発明を特定するために必要な事項である「表示装置側コネクタ」に関して、「当該表示装置を当該遊技機に取り付けた時に前面側となる面に」実装されるとの事項を省いたものであるから、「第２　３（３）（ｃ）」における検討を踏まえると、刊行物１発明の構成ｃは、本願発明の構成Ｃ”に相当するといえる。
（ｆ）本願発明における構成Ｆ”は、本願補正発明を特定するために必要な事項である「前記変動表示部の表示態様を複数の表示態様
により
前記変動表示ゲームの結果として
により
（ｉ）本願発明における構成Ｉ”は、本願補正発明を特定するために必要な事項である「前記表示装置側コネクタ
は、
であ
　以上の対比より、本願発明と刊行物１発明とは、
「Ａ　変動表示ゲームを実行可能な変動表示部を有する表示装置と、前記変動表示ゲームの制御を行う制御装置と、を備える遊技機において、
Ｂ　前記変動表示部は、複数の発光部材により構成されてなり、
Ｃ”前記表示装置は、
　　前記複数の発光部材に対応する複数のピンが配列された表示装置側コネクタが実装され、該表示装置側コネクタに前記制御装置と電気的に接続するための配線のコネクタが接続され、
Ｄ　前記制御装置は、
　　前記複数の発光部材に対応する複数のピンが配列された制御装置側コネクタが実装され、該制御装置側コネクタに前記表示装置と電気的に接続するための配線のコネクタが接続され、
Ｆ”前記変動表示部の表示態様を複数の表示態様の間で循環的に順次変化させることで前記変動表示ゲームが実行中であることを表示させるとともに、一以上の発光部材を点灯させることで外れ結果又は当り結果を表示させ、
Ｉ”前記表示装置側コネクタをピン配列が１列のコネクタにて構成する遊技機。」
である点で一致し、以下の点で相違する。
（相違点５）制御装置のコネクタに関して、本願発明は、「さらに、前記制御装置側コネクタを含んだ複数のコネクタが列を形成するように実装され、この列には当該制御装置に電源を供給するための電源用コネクタを含めない」と特定されているのに対し、刊行物１発明はそのように特定されていない点。（構成Ｅ）
（相違点６）変動表示ゲームが実行中であることを表示する変動表示部の複数の表示態様に関して、本願発明は、「前記複数の表示態様には、前記外れ結果を表す表示態様及び前記当り結果を表す表示態様を含めない」と特定されているのに対し、刊行物１発明はそのように特定されていない点。（構成Ｇ）
（相違点７）制御装置側コネクタに関して、本願発明は、「前記制御装置側コネクタをピン配列が２列のコネクタにて構成する」と特定されているのに対し、刊行物１発明はそのように特定されていない点。（構成Ｈ”）
　そして、上記相違点５、６は、それぞれ、上記相違点２、３と同様のものであり、上記「第２　３（４）イ」、「第２　３（４）ウ」で検討したとおりであるから、刊行物１発明において、刊行物２記載の事項及び刊行物３記載の事項を適用し、上記相違点５、６に係る本願発明の構成とすることは、当業者が容易に想到し得たことである。
　また、本願発明の構成Ｈ”は、本願補正発明を特定するために必要な事項である「前記制御装置側コネクタ
は、
であり
　したがって、本願発明は当業者が刊行物１発明、刊行物２記載の事項、刊行物３記載の事項及び刊行物４記載の事項に基づいて容易に発明をすることができたものである。
５　むすび
　以上のとおりであるから、本願発明は、特許法第２９条第２項の規定により特許を受けることができない。
　したがって、本願は、拒絶されるべきものである。
　よって、結論のとおり審決する。